(57)【要約】【課題】  本発明は誰もが楽しめることができ、容易な組み合わせができる、面白みのあるパズルを得るにある。【解決手段】パズル本体と、このパズル本体に所定間隔に縦および横方向に形成された折れ線部と、この折れ線部により所定間隔に区切られたパズル本体部位に任意に配置された、組み合わせた時に少なくとも１種類の文字や絵等が完成する合わせ片と、前記折れ線部の、前記パズル本体の外周部位に接する所定部位に、隣り合う前記合わせ片を任意に切り離すことができるように形成された切り離し部とでパズルを構成している。【選択図】  図１
2004321809.tif 000002
【特許請求の範囲】
【請求項１】
パズル本体と、このパズル本体に所定間隔に縦および横方向に形成された折れ線部と、この折れ線部により所定間隔に区切られたパズル本体部位に任意に配置された、組み合わせた時に少なくとも１種類の文字や絵等が完成する合わせ片と、前記折れ線部の、前記パズル本体の外周部位に接する所定部位に、隣り合う前記合わせ片を任意に切り離すことができるように形成された切り離し部とからなることを特徴とするパズル。
【請求項２】
パズル本体と、このパズル本体に所定間隔に縦および横方向に形成された折れ線部と、この折れ線部により所定間隔に区切られたパズル本体部位に任意に配置された、組み合わせた時に少なくとも１種類の文字や絵等が完成する合わせ片と、前記パズル本体の中央部位に、該パズル本体から切り離すことができるように形成された切り離し片とからなることを特徴とするパズル。
【請求項３】
パズル本体と、このパズル本体に所定間隔に縦および横方向に形成された折れ線部と、この折れ線部により所定間隔に区切られたパズル本体部位に任意に配置された、組み合わせた時に少なくとも１種類の文字や絵等が完成する枠形状の合わせ片と、前記折れ線部の、前記パズル本体の外周部位に接する所定部位に、隣り合う前記合わせ片を任意に切り離すことができるように形成された切り離し部と、前記パズル本体の中央部位に、該パズル本体から切り離すことができるように形成された切り離し片とからなることを特徴とするパズル。
【請求項４】
前記折れ線部は、前記パズル本体を縦および横方向に均等に３分割できるように形成されていることを特徴とする請求項１、２、３のいずれかに記載のパズル。
【請求項５】
前記切り離し片は、前記合わせ片と異なる表記がしてあることを特徴とする請求項２、３のいずれかに記載のパズル。
【発明の詳細な説明】
【技術分野】
【０００１】    本発明は折たたんで、組み合わせ等をするパズルに関する。
【背景技術】
【０００２】    従来のパズルは、既に中央片を切り抜いた状態、または、既に切れ目が入っている状態で組み合わせを行うものである。【０００３】  したがって、従来のパズルは、組み合わせする片が多く複雑になるため、誰もが楽しめるような簡易な組み合わせができないという欠点があった。
また、説明書が組み合わせパズルの中に印刷、または、別途に印刷されているなどして見にくいという欠点があった。
【特許文献１】特開平８−２６６７５１
【発明の開示】
【発明が解決しようとする課題】
【０００４】  本発明は以上のような従来の欠点に鑑み、誰もが楽しめることができ、容易な組み合わせができる、面白みのあるパズルを提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、本発明は、パズル本体と、このパズル本体に所定間隔に縦および横方向に形成された折れ線部と、この折れ線部により所定間隔に区切られたパズル本体部位に任意に配置された、組み合わせた時に少なくとも１種類の文字や絵等が完成する合わせ片と、前記折れ線部の、前記パズル本体の外周部位に接する所定部位に、隣り合う前記合わせ片を任意に切り離すことができるように形成された切り離し部とでパズルを構成している。
【発明の効果】
【０００７】  以下の説明から明らかなように、本発明にあっては次に列挙する効果が得られる。【０００８】（１）パズル本体と、このパズル本体に所定間隔に縦および横方向に形成された折れ線部と、この折れ線部により所定間隔に区切られたパズル本体部位に任意に配置された、組み合わせた時に少なくとも１種類の文字や絵等が完成する合わせ片と、前記折れ線部の、前記パズル本体の外周部位に接する所定部位に、隣り合う前記合わせ片を任意に切り離すことができるように形成された切り離し部とで構成されているので、少ない折れ線で、容易な組み合わせができる。【０００９】（２）前記（１）によって、誰もが楽しめることができ、面白みのあるパズルにすることができる。【００１０】（３）前記（１）によって、構造が簡単なので、容易に製造することができる。【００１１】（４）前記（１）によって、隣り合う前記合わせ片を任意に切り離すことができるので、より多くの折り方の組み合わせができる。【００１２】（５）請求項２〜５も前記（１）〜（４）と同様の効果が得られる。
【発明を実施するための最良の形態】
【００１３】  以下、図面に示す実施するための最良の形態により、本発明を詳細に説明する。
【実施例１】
【００１４】  図１ないし図４に示す本発明を実施するための最良の第１の形態において、１は本発明のパズルで、このパズル１は、正方形状や長方形状等、本実施では正方形状のパズル本体２と、このパズル本体２に所定間隔、本実施例では３分割になるように縦および横方向に形成された折れ線部３と前記パズル本体２の少なくとも一方の面に任意に配置された、組み合わせた時に少なくとも１種類の文字や絵等が完成する分散表示部としての枠形状に形成された合わせ片４と、前記折れ線部３の、前記パズル本体２の外周部位に接する所定部位に、隣り合う前記合わせ片４を任意に切り離すことができるように形成された切り離し部としてのミシン目５と、前記パズル本体２の中央部位に、該パズル本体２から切り離すことができるように切り離し部としてのミシン目５ａを介して形成された切り離し片６とで構成されている。【００１５】  前記合わせ片４は、組み合わせ時に少なくとも１種類の文字や絵等が完成するように、前記折れ線部４により形成された区画毎に、文字や絵等の一部が適宜に印刷、描写等されており、前記切り離し片６を切り離した場合には、枠形状になる。【００１６】  前記切り離し片６には、本実施例では、本発明のパズルの遊び方がわかるように説明書となる印刷が施されている。【００１７】  上記構成のパズル１は、使用時は、所定部位に形成されたミシン目５を切り離し、ミシン目５ａを切り、パズル本体２から切り離し片６を切り離す。
そして、合わせ片４の８片を折れ線部４に沿って山折り、谷折り、自由に折り曲げ、表面あるいは裏面部位に現れる４片で、図３に示すような少なくとも１１つの文字や絵等を完成させることができる。【００１８】したがって、組み合わせる合わせ片４が少なく、何通りもの組み合わせによって、簡単に文字や絵等を組み合わせることができるため、図４に示すように、販促品や景品引換券等として、面白みのある状態で使用できる。【００１９】  なお、本実施例では、一方の面に配置された合わせ片４を用いて説明したが、これに限らず、表面および裏面あるいは裏面のみに配置されたものを使用してもよい。【００２０】｛発明を実施するための異なる形態｝【００２１】  次に、図５ないし図１３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２２】  図５および図６に示す本発明を実施するための第２の形態において、前記本発明を実施するための最良の第１の形態と主に異なる点は、前記パズル本体２の外周部位に接する８ヶ所に、隣り合う合わせ片４を切り離すことができるようにミシン目５を形成した点で、このようなパズル本体２Ａで構成されたパズル１Ａにしても、前記本発明を実施するための最良の第１の形態と同様な作用効果が得られるとともに、任意のミシン目５を選択して隣り合う合わせ片４を切り離すことができる。
【実施例３】
【００２３】  図７および図８に示す本発明を実施するための第３の形態において、前記本発明を実施するための最良の第１の形態と主に異なる点は、前記ミシン目５が形成されない状態で、切り離し部としてのミシン目５ａを介して切り離し片６を切り離すことができるパズル本体２Ｂを用いた点で、このように形成したパズル１Ｂにしても、前記本発明を実施するための最良の第１の形態と同様な作用効果が得られる。
【実施例４】
【００２４】  図９ないし図１１に示す本発明を実施するための第４の形態において、前記本発明を実施するための最良の第１の形態と主に異なる点は、組み合わせた時に異なる２種類の文字や絵等が完成する分散表示部としての合わせ片４を少なくとも一方の面に任意に配置したパズル本体２Ｃを用いた点で、このように構成されたパズル１Ｃにしても、前記本発明を実施するための第１の形態と同様な作用効果が得られる。
【実施例５】
【００２５】  図１２および図１３に示す本発明を実施するための第５の形態において、前記本発明を実施するための最良の第１の形態、第２の形態、第３の形態および第４の形態と主に異なる点は、４分割になるように縦および横方向に形成された折れ線部３が形成されたパズル本体２Ｄを用いた点で、このように構成されたパズル１Ｄにしても、前記本発明を実施するための第１の形態、第２の形態、第３の形態および第４の形態と同様な作用効果が得られる。【００２６】  なお、本実施の形態では、４分割にする折れ線部３を用いたものについて説明したが、本実施の形態ではこれに限らず、合わせ片４の組み合わせが可能であれば、５分割、６分割等にしてもよく、よりゲーム性を持ったパズルにすることができる。【００２７】  また、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００２８】  本発明は絵や文字等を組み合わせるパズルを製造、使用する産業等で利用される。
【図面の簡単な説明】
【００２９】
【図１】本発明を実施するための最良の第１の形態の正面図。
【図２】本発明を実施するための最良の第１の形態の使用組み合わせ状態の説明図。
【図３】本発明を実施するための最良の第１の形態の組み合わせ状態の説明図。
【図４】本発明を実施するための最良の第１の形態の概略説明図。
【図５】本発明を実施するための第２の形態の正面図。
【図６】本発明を実施するための第２の形態の使用状態の説明図。
【図７】本発明を実施するための第３の形態の正面図。
【図８】本発明を実施するための第３の形態の使用状態の説明図。
【図９】本発明を実施するための第４に形態の正面図。
【図１０】本発明を実施するための第４の形態の使用状態の説明図。
【図１１】本発明を実施するための第４に形態の組み合わせ状態の説明図。
【図１２】本発明を実施するための第５に形態の正面図。
【図１３】本発明を実施するための第６の形態の使用状態の説明図。
【符号の説明】
【００３０】１、１Ａ〜１Ｄ：パズル、            ２、２Ａ〜２Ｄ：パズル本体、
３：折れ線部、                      ４：合わせ片、
５：ミシン目、                      ６：切り離し片。
【図１】
2004321809.tif 000003
【図２】
2004321809.tif 000004
【図３】
2004321809.tif 000005
【図４】
2004321809.tif 000006
【図５】
2004321809.tif 000007
【図６】
2004321809.tif 000008
【図７】
2004321809.tif 000009
【図８】
2004321809.tif 000010
【図９】
2004321809.tif 000011
【図１０】
2004321809.tif 000012
【図１１】
2004321809.tif 000013
【図１２】
2004321809.tif 000014
【図１３】
2004321809.tif 000015